(57)【要約】【課題】画像形成の指示を簡単な操作で実現する。【解決手段】情報処理装置の記憶部は、商品バーコードが表す商品バーコード情報と、医薬品の内容を説明する説明情報とを対応付けて記憶するとともに、操作シートに付された操作バーコードが表す情報と、印刷指示とを対応付けて記憶する。情報処理装置のＣＰＵは、読取装置により読み取られた情報を取得する。そして、商品バーコード情報と、記憶部において画像形成の指示と対応付けて記憶されている操作バーコード情報とが取得されると、取得された商品バーコード情報と対応付けて記憶されている説明情報と、取得された操作バーコード情報と対応付けて記憶されている画像形成の指示とを出力する。画像形成装置は、情報処理装置から出力された説明情報及び画像形成の指示を受け取り、受け取った画像形成の指示に従って説明情報を表す画像を形成する。【選択図】図１０
2010277189.tif 000002
【特許請求の範囲】
【請求項１】
情報を表す画像から当該情報を読み取る読取装置と、
第１の画像が表す第１の情報と、商品の内容を説明する説明情報とを対応付けて記憶し、記録媒体に付された第２の画像が表す第２の情報と、画像形成の指示とを対応付けて記憶する記憶手段と、
前記読取装置により読み取られた情報を取得する取得手段と、
前記取得手段により前記第１の情報と前記第２の情報とが取得されると、取得された当該第１の情報と対応付けて前記記憶手段に記憶されている説明情報と、取得された当該第２の情報と対応付けて前記記憶手段に記憶されている画像形成の指示とを出力する出力手段と、
前記出力手段から出力された説明情報及び画像形成の指示を受け取り、受け取った画像形成の指示に従って当該説明情報を表す画像を形成する画像形成装置と
を備えることを特徴とする画像形成システム。
【請求項２】
前記記憶手段は、前記記録媒体に付された第３の画像が表す第３の情報と、画像形成の条件とを対応付けて記憶し、
前記情報処理装置は、
前記取得手段により前記第３の情報が取得されると、取得された当該第３の情報と対応付けて前記記憶手段に記憶されている画像形成の条件を指定する条件指定手段を有し、
前記出力手段は、前記条件指定手段によって指定された画像形成の条件を出力し、
前記画像形成装置は、前記出力手段から出力された画像形成の条件を受け取り、受け取った画像形成の条件に従って前記画像の形成を行う
ことを特徴とする請求項１に記載の画像形成システム。
【請求項３】
前記記憶手段は、予め設定された画像形成の部数を記憶し、前記第３の画像が表す第３の情報と、画像形成の部数を加算する指示とを対応付けて記憶し、
前記条件指定手段は、前記取得手段により取得された第３の情報と前記加算する指示とが前記記憶手段において対応付けて記憶されている場合には、前記記憶手段に記憶されている画像形成の部数を加算し、加算した当該部数を画像形成の部数として指定し、
前記出力手段は、前記条件指定手段によって指定された画像形成の部数を出力し、
前記画像形成装置は、前記出力手段から出力された画像形成の部数だけ前記画像の形成を行う
ことを特徴とする請求項２に記載の画像形成システム。
【請求項４】
前記記憶手段は、前記記録媒体に付された第４の画像が表す第４の情報と、画像形成の部数を前記予め設定された部数に戻す指示とを対応付けて記憶し、
前記条件指定手段は、前記取得手段により前記第４の情報が取得されると、前記記憶手段に記憶されている画像形成の部数を前記予め設定された部数に変更する
ことを特徴とする請求項３に記載の画像形成システム。
【請求項５】
前記記録媒体において、前記第３の画像と前記第４の画像とが対応する位置に配置されている
ことを特徴とする請求項４に記載の画像形成システム。
【請求項６】
前記記憶手段は、前記記録媒体に付された第５の画像が表す第５の情報と、文書のレイアウトとを対応付けて記憶し、
前記条件指定手段は、前記取得手段により前記第５の情報が取得されると、取得された当該第５の情報と対応付けて前記記憶手段に記憶されている文書のレイアウトを指定し、
前記出力手段は、前記取得手段により取得された第１の情報と対応付けて前記記憶手段に記憶されている説明情報を、前記条件指定手段によって指定されたレイアウトに基づいて整形して出力する
ことを特徴とする請求項１から５のいずれか１項に記載の画像形成システム。
【請求項７】
前記画像形成装置は複数あり、
前記記憶手段は、前記第５の画像が表す第５の情報と、前記複数の画像形成装置のいずれかを示す装置情報とを対応付けて記憶し、
前記条件指定手段は、前記取得手段により前記第５の情報が取得されると、取得された当該第５の情報と対応付けて前記記憶手段に記憶されている装置情報が示す画像形成装置を指定し、
前記出力手段は、前記取得手段により前記第１の情報と前記第２の情報とが取得されると、取得された当該第１の情報と対応付けて前記記憶手段に記憶されている説明情報と、取得された当該第２の情報と対応付けて前記記憶手段に記憶されている画像形成の指示とを、前記条件指定手段により指定された画像形成装置へと出力する
ことを特徴とする請求項６に記載の画像形成システム。
【請求項８】
前記記憶手段は、前記記録媒体に付された第６の画像が表す第６の情報と、前記情報処理装置の処理の指示とを対応付けて記憶し、
前記情報処理装置は、
前記取得手段により前記第６の情報が取得されると、取得された当該第６の情報と対応付けて前記記憶手段に記憶されている指示の処理を行う処理手段を有する
ことを特徴とする請求項１から７のいずれか１項に記載の画像形成システム。
【請求項９】
前記情報処理装置は、
前記取得手段により取得された情報に応じて行われる処理の内容又は結果を表す音声を出力する音声出力手段を有する
ことを特徴とする請求項１から８のいずれかに記載の画像形成システム。
【請求項１０】
第１の画像が表す第１の情報と、商品の内容を説明する説明情報とを対応付けて記憶し、記録媒体に付された第２の画像が表す第２の情報と、画像形成の指示とを対応付けて記憶する記憶手段と、
情報を表す画像から当該情報を読み取る読取装置により読み取られた情報を取得する取得手段と、
前記取得手段により前記第１の情報と前記第２の情報とが取得されると、取得された当該第１の情報と対応付けて前記記憶手段に記憶されている説明情報と、取得された当該第２の情報と対応付けて前記記憶手段に記憶されている画像形成の指示とを出力する出力手段と
を備えることを特徴とする情報処理装置。
【請求項１１】
コンピュータを、
第１の画像が表す第１の情報と、商品の内容を説明する説明情報とを対応付けて記憶し、記録媒体に付された第２の画像が表す第２の情報と、画像形成の指示とを対応付けて記憶する記憶手段と、
情報を表す画像から当該情報を読み取る読取装置により読み取られた情報を取得する取得手段と、
前記取得手段により前記第１の情報と前記第２の情報とが取得されると、取得された当該第１の情報と対応付けて前記記憶手段に記憶されている説明情報と、取得された当該第２の情報と対応付けて前記記憶手段に記憶されている画像形成の指示とを出力する出力手段
として機能させるためのプログラム。
【発明の詳細な説明】
【技術分野】
【０００１】
本発明は、商品の内容を説明する情報を出力する技術に関する。
【背景技術】
【０００２】
市販薬品の成分に関するデータを出力する技術が知られている。例えば、特許文献１には、バーコードリーダーで市販薬品の外装箱などに付されたバーコードデータを読み取り、その市販薬品の成分に関するデータをプリンターにより印刷させる技術が開示されている。
【先行技術文献】
【特許文献】
【０００３】
【特許文献１】特開２００５−３４６３７９号公報
【発明の概要】
【発明が解決しようとする課題】
【０００４】
ところで、データの印刷開始を指示したり、印刷する部数を指定したりするには、プリンターに接続された情報処理装置のマウスやキーボードなどを操作しなければならない。しかしながら、例えば利用者が情報処理装置の操作に不慣れな場合には、そのような操作を行うのに時間がかかってしまう。また、利用者が誤った操作をしてしまうと、利用者が意図した処理が行われないばかりか、他の処理に悪影響を及ぼす恐れもある。
本発明は、画像形成の指示を簡単な操作で実現する仕組みを提供することを目的とする。
【課題を解決するための手段】
【０００５】
本発明は、情報を表す画像から当該情報を読み取る読取装置と、第１の画像が表す第１の情報と、商品の内容を説明する説明情報とを対応付けて記憶し、記録媒体に付された第２の画像が表す第２の情報と、画像形成の指示とを対応付けて記憶する記憶手段と、前記読取装置により読み取られた情報を取得する取得手段と、前記取得手段により前記第１の情報と前記第２の情報とが取得されると、取得された当該第１の情報と対応付けて前記記憶手段に記憶されている説明情報と、取得された当該第２の情報と対応付けて前記記憶手段に記憶されている画像形成の指示とを出力する出力手段と、前記出力手段から出力された説明情報及び画像形成の指示を受け取り、受け取った画像形成の指示に従って当該説明情報を表す画像を形成する画像形成装置とを備えることを特徴とする画像形成システムを提供する。これにより、画像形成の指示を簡単な操作で実現することができる。
【０００６】
本発明に係る画像形成システムにおいて、前記記憶手段は、前記記録媒体に付された第３の画像が表す第３の情報と、画像形成の条件とを対応付けて記憶し、前記情報処理装置は、前記取得手段により前記第３の情報が取得されると、取得された当該第３の情報と対応付けて前記記憶手段に記憶されている画像形成の条件を指定する条件指定手段を有し、前記出力手段は、前記条件指定手段によって指定された画像形成の条件を出力し、前記画像形成装置は、前記出力手段から出力された画像形成の条件を受け取り、受け取った画像形成の条件に従って前記画像の形成を行ってもよい。これにより、画像形成の条件の指定を簡単な操作で行うことができる。
【０００７】
本発明に係る画像形成システムにおいて、前記記憶手段は、予め設定された画像形成の部数を記憶し、前記第３の画像が表す第３の情報と、画像形成の部数を加算する指示とを対応付けて記憶し、前記条件指定手段は、前記取得手段により取得された第３の情報と前記加算する指示とが前記記憶手段において対応付けて記憶されている場合には、前記記憶手段に記憶されている画像形成の部数を加算し、加算した当該部数を画像形成の部数として指定し、前記出力手段は、前記条件指定手段によって指定された画像形成の部数を出力し、前記画像形成装置は、前記出力手段から出力された画像形成の部数だけ前記画像の形成を行ってもよい。これにより、画像形成の部数の指定を簡単な操作で行うことができる。
【０００８】
本発明に係る画像形成システムにおいて、前記記憶手段は、前記記録媒体に付された第４の画像が表す第４の情報と、画像形成の部数を前記予め設定された部数に戻す指示とを対応付けて記憶し、前記条件指定手段は、前記取得手段により前記第４の情報が取得されると、前記記憶手段に記憶されている画像形成の部数を前記予め設定された部数に変更してもよい。これにより、簡単な操作で画像形成の部数を指定前の部数に戻すことができる。
【０００９】
本発明に係る画像形成システムにおいては、前記記録媒体において、前記第３の画像と前記第４の画像とが対応する位置に配置されていてもよい。これにより、画像形成の部数を戻す操作をし易くすることができる。
【００１０】
本発明に係る画像形成システムにおいて、前記記憶手段は、前記記録媒体に付された第５の画像が表す第５の情報と、文書のレイアウトとを対応付けて記憶し、前記条件指定手段は、前記取得手段により前記第５の情報が取得されると、取得された当該第５の情報と対応付けて前記記憶手段に記憶されている文書のレイアウトを指定し、前記出力手段は、前記取得手段により取得された第１の情報と対応付けて前記記憶手段に記憶されている説明情報を、前記条件指定手段によって指定されたレイアウトに基づいて整形して出力してもよい。これにより、文書のレイアウトの指定を簡単な操作で行うことができる。
【００１１】
本発明に係る画像形成システムにおいて、前記画像形成装置は複数あり、前記記憶手段は、前記第５の画像が表す第５の情報と、前記複数の画像形成装置のいずれかを示す装置情報とを対応付けて記憶し、前記条件指定手段は、前記取得手段により前記第５の情報が取得されると、取得された当該第５の情報と対応付けて前記記憶手段に記憶されている装置情報が示す画像形成装置を指定し、前記出力手段は、前記取得手段により前記第１の情報と前記第２の情報とが取得されると、取得された当該第１の情報と対応付けて前記記憶手段に記憶されている説明情報と、取得された当該第２の情報と対応付けて前記記憶手段に記憶されている画像形成の指示とを、前記条件指定手段により指定された画像形成装置へと出力してもよい。これにより、使用する画像形成装置の指定を簡単な操作で行うことができる。
【００１２】
本発明に係る画像形成システムにおいて、前記記憶手段は、前記記録媒体に付された第６の画像が表す第６の情報と、前記情報処理装置の処理の指示とを対応付けて記憶し、前記情報処理装置は、前記取得手段により前記第６の情報が取得されると、取得された当該第６の情報と対応付けて前記記憶手段に記憶されている指示の処理を行う処理手段を有してもよい。これにより、情報処理装置の処理の指示を簡単な操作で行うことができる。
【００１３】
本発明に係る画像形成システムにおいて、前記情報処理装置は、前記取得手段により取得された情報に応じて行われる処理の内容又は結果を表す音声を出力する音声出力手段を有してもよい。これにより、読取装置で読み取られた情報に応じて行われる処理の内容又は結果を音声で把握することができる。
【００１４】
本発明は、第１の画像が表す第１の情報と、商品の内容を説明する説明情報とを対応付けて記憶し、記録媒体に付された第２の画像が表す第２の情報と、画像形成の指示とを対応付けて記憶する記憶手段と、情報を表す画像から当該情報を読み取る読取装置により読み取られた情報を取得する取得手段と、前記取得手段により前記第１の情報と前記第２の情報とが取得されると、取得された当該第１の情報と対応付けて前記記憶手段に記憶されている説明情報と、取得された当該第２の情報と対応付けて前記記憶手段に記憶されている画像形成の指示とを出力する出力手段とを備えることを特徴とする情報処理装置を提供する。これにより、画像形成の指示を簡単な操作で実現することができる。
【００１５】
本発明は、コンピューターを、第１の画像が表す第１の情報と、商品の内容を説明する説明情報とを対応付けて記憶し、記録媒体に付された第２の画像が表す第２の情報と、画像形成の指示とを対応付けて記憶する記憶手段と、情報を表す画像から当該情報を読み取る読取装置により読み取られた情報を取得する取得手段と、前記取得手段により前記第１の情報と前記第２の情報とが取得されると、取得された当該第１の情報と対応付けて前記記憶手段に記憶されている説明情報と、取得された当該第２の情報と対応付けて前記記憶手段に記憶されている画像形成の指示とを出力する出力手段として機能させるためのプログラムを提供する。これにより、画像形成の指示を簡単な操作で実現することができる。
【図面の簡単な説明】
【００１６】
【図１】画像形成システムの構成を示す図。
【図２】情報処理装置の構成を示すブロック図。
【図３】画像形成装置の構成を示すブロック図。
【図４】店員データの一例を示す図。
【図５】医薬品データベースの一例を示す図。
【図６】操作対応テーブルの一例を示す図。
【図７】操作シートの一例を示す図。
【図８】操作シートの一例を示す図。
【図９】印刷パターンの内容の一例を示す図。
【図１０】画像形成システムの動作を示すシーケンス図。
【図１１】説明文書の画像の一例を示す図。
【図１２】変形例に係る印刷パターンの内容の一例を示す図。
【図１３】変形例に係る説明文書の画像の一例を示す図。
【発明を実施するための形態】
【００１７】
［構成］
図１は、本実施形態に係る画像形成システム１の構成を示す図である。同図に示すように、この画像形成システム１は、情報処理装置１０と、画像形成装置２０と、読取装置３０とを備えている。情報処理装置１０と画像形成装置２０とは、通信ケーブルＬ１を介して接続されている。また、情報処理装置１０と読取装置３０とは、通信ケーブルＬ２を介して接続されている。
【００１８】
（情報処理装置）
情報処理装置１０は、例えば持ち運びができる小型のコンピューター装置であり、医薬品の説明文書の印刷を制御する機能を有するアプリケーションプログラム（以下、「説明文書印刷アプリケーション」という）がインストールされている。
図２は、情報処理装置１０の構成を示すブロック図である。同図に示すように、情報処理装置１０は、ＣＰＵ（Central Processing Unit）１１と、メモリー１２と、通信部１３と、記憶部１４と、操作部１５と、表示部１６とを備えている。ＣＰＵ１１は、メモリー１２に記憶されているプログラムを実行することにより、情報処理装置１０の各部を制御する。メモリー１２は、例えばＲＯＭ（Read Only Memory）とＲＡＭ（Random Access Memory）とを備えており、ＣＰＵ１１によって実行されるプログラムやデータを記憶する。通信部１３は、画像形成装置２０又は読取装置３０とデータの送受信を行う。記憶部１４は、例えばハードディスクを備えており、上述した説明文書印刷アプリケーションの他に、店員データ４１、医薬品データベース（医薬品ＤＢ）４２、操作対応テーブル４３などを記憶する。この記憶部１４は、本発明に係る記憶手段として機能する。操作部１５は、例えばキーボードとマウスとを備えており、利用者の操作に応じた操作信号をＣＰＵ１１に入力する。表示部１６は、例えば液晶ディスプレイを備えており、ＣＰＵ１１の制御に応じた画像を表示する。
【００１９】
（画像形成装置）
図３は、画像形成装置２０の構成を示すブロック図である。同図に示すように、画像形成装置２０は、ＣＰＵ２１と、メモリー２２と、通信部２３と、記憶部２４と、表示操作部２５と、画像形成部２６とを備えている。ＣＰＵ２１は、メモリー２２に記憶されているプログラムを実行することにより、画像形成装置２０の各部を制御する。メモリー２２は、例えばＲＯＭとＲＡＭとを備えており、ＣＰＵ２１によって実行されるプログラムやデータを記憶する。通信部２３は、情報処理装置１０とデータの送受信を行う。記憶部２４は、例えばハードディスクを備えており、各種のデータを記憶する。表示操作部２５は、例えばタッチパネルを備えており、ＣＰＵ２１の制御に応じた画像を表示するとともに、利用者の操作に応じた操作信号をＣＰＵ２１に入力する。画像形成部２６は、例えばプリンター装置を備えており、画像データに応じた画像を用紙に形成して出力する。なお、以下の説明では、画像データに応じた画像を用紙に形成することを「印刷」という。
【００２０】
（読取装置）
読取装置３０は、例えばバーコードリーダーであり、バーコードが表すバーコード情報を読み取る。この「バーコード」とは、例えば縞模様状の線の太さによって数値や文字などの情報を表す画像である。つまり、読取装置は、バーコード（「情報を表す画像」に相当）からそのバーコードが表すバーコード情報を読み取る。また、読取装置３０と情報処理装置１０とは、例えばＵＳＢ（Universal Serial Bus）規格に従ってデータの送受信を行う。
【００２１】
次に、情報処理装置１０の記憶部１４に記憶されているデータの内容について説明する。
図４は、店員データ４１の一例を示す図である。同図に示すように、店員データ４１には、「店員氏名」と「店員バーコード情報」と「資格」とが対応付けられている。「店員氏名」は、医薬品を販売する販売店の店員の氏名である。「店員バーコード情報」は、店員が有する店員カードに付された店員バーコードから読み取られる情報である。「資格」は、店員が有する資格を示す情報である。例えば、図の店員データ４１では、店員氏名「○山○子」と資格「薬剤師」とが対応付けられている。これは、「○山○子」という店員が、薬剤師の資格を有していることを示している。また、図の店員データ４１では、店員氏名「○山○男」と資格「登録販売者」とが対応付けられている。これは、「○山○男」という店員が、登録販売者の資格を有していることを示している。この「登録販売者」とは、薬剤師とは異なる資格であるが、医薬品の販売を行うことができる資格である。
【００２２】
図５は、医薬品データベース４２の一例を示す図である。同図に示すように、医薬品データベース４２には、「商品バーコード情報」と「リスク区分」と「製品情報」と「説明情報」とが対応付けられている。「商品バーコード情報」は、医薬品の外箱に付されている商品バーコードから読み取られる情報である。「リスク区分」は、医薬品のリスク（副作用など）に応じて割り当てられる分類である。「製品情報」は、医薬品の製品概要を示す情報であり、「商品名」、「商品画像」などの情報が含まれる。「説明情報」は、医薬品の内容を説明する情報であり、「効能・効果」、「成分・分量」、「用法・容量」、「使用上の注意」などの情報が含まれる。つまり、記憶部１４は、商品バーコード（「第１の画像」に相当）が表す商品バーコード情報（「第１の情報」に相当）と、医薬品（「商品」に相当）の内容を説明する説明情報とを対応付けて記憶する。この医薬品データベース４２は、例えば１日に１回、医薬品データベース４２を管理するサーバー装置からダウンロードされるようになっている。このとき、ＣＰＵ１１は、サーバー装置からダウンロードされた医薬品データベース４２を予め決められた形式に変換した後、記憶部１４に記憶させる。
【００２３】
ここで、上述した「リスク区分」について詳細に説明する。販売店で販売される医薬品には、予め「第１類」、「第２類」、「第３類」のいずれの分類が割り当てられている。「第１類」は、リスクが高い医薬品に割り当てられる分類であり、例えばその医薬品を販売する場合には、薬剤師が積極的に情報提供を行う義務がある。「第２類」は、「第１類」の医薬品よりもリスクが低い医薬品に割り当てられる分類であり、例えばその医薬品を販売する場合には、薬剤師又は登録販売者が積極的に情報提供を行うように努力することが求められる。「第３類」は、リスクが低い医薬品に割り当てられる分類であり、例えばその医薬品を販売する場合に情報提供を行う必要はない。
【００２４】
図６は、操作対応テーブル４３の一例を示す図である。同図に示すように、操作対応テーブル４３には、「操作バーコード情報」と「指示の内容」とが対応付けられている。この「操作バーコード情報」は、操作シートＰ１又は操作シートＰ２に付されている操作バーコードから読み取られる情報である。「指示の内容」は、操作バーコードから読み取られた情報に対応する指示を示す情報である。例えば、図の操作対応テーブル４３では、操作バーコード情報「Ｂ０１００１０Ｂ」と、「印刷開始」とが対応付けられている。これは、読取装置３０により「Ｂ０１００１０Ｂ」という操作バーコード情報が読み取られた場合には、画像形成装置２０に対して印刷開始を指示することを示している。
【００２５】
ここで、上述した操作シートＰ１，Ｐ２について説明する。
図７は、操作シートＰ１の一例を示す図である。同図に示すように、操作シートＰ１には、医薬品の説明文書を印刷する操作の手順とともに、説明文書の印刷を指示するときに用いられる複数の操作バーコードが配置されている。例えば、操作バーコードＢ１は、印刷開始を指示するときに用いられる。操作バーコードＢ２は、印刷部数を１部加算するときに用いられる。操作バーコードＢ３は、印刷部数を１０部加算するときに用いられる。操作バーコードＢ４は、指定した印刷部数をクリアするときに用いられる。操作バーコードＢ５は、入力した全ての内容のキャンセルするときに用いられる。また、図に示すように、この操作シートＰ１では、印刷部数を加算するときに用いられる操作バーコードＢ２，Ｂ３（「第３の画像」に相当）と、指定した印刷部数をクリアするときに用いられる操作バーコードＢ４（「第４の画像」に相当）とが対応する位置に配置されている。この印刷部数は、印刷条件の１つである。つまり、操作シートＰ１においては、印刷条件を指定するための操作バーコードと、指定した印刷条件をクリアするための操作バーコードとが対応する位置に配置されている。
【００２６】
図８は、操作シートＰ２の一例を示す図である。この操作シートＰ２には、説明文書の印刷以外の処理を指示するときに用いられる複数の操作バーコードが配置されている。例えば、操作バーコードＢ１１は、情報処理装置１０の電源をオフにするときに用いられる。操作バーコードＢ１２は、情報処理装置１０を再起動するときに用いられる。操作バーコードＢ１３は、説明文書印刷アプリケーションを終了するときに用いられる。操作バーコートＢ１４は、画像形成装置２０の状態を確認するときに用いられる。操作バーコードＢ１５は、説明文書印刷アプリケーションの状態を確認するときに用いられる。操作バーコードＢ１６は、情報処理装置１０の設定を変更するときに用いられる。操作バーコードＢ１７は、医薬品データベース４２を更新するときに用いられる。操作バーコードＢ１８は、店員データ４１を更新するときに用いられる。
【００２７】
また、操作バーコードＢ１９〜Ｂ２２は、それぞれ印刷パターン１〜４を指定するときに用いられる。この印刷パターン１〜４には、予め印刷に関する各種の条件が登録されている。
図９は、印刷パターンの内容Ｅ１の一例を示す図である。この印刷パターンの内容Ｅ１は、例えば記憶部１４に記憶されている。図の例では、印刷パターン１には、予め指定された標準の文字サイズが登録されている。印刷パターン２には、標準の文字サイズと、画像なしで印刷するという条件とが登録されている。印刷パターン３には、標準よりも大きい文字サイズが登録されている。印刷パターン４には、標準よりも大きい文字サイズと、画像なしで印刷するという条件とが登録されている。
【００２８】
［動作］
次に、図１０に示すシーケンス図を参照して、本実施形態の動作について説明する。ここでは、医薬品を販売する販売店に来店した来店客が、医薬品Ｘを選択し、店員からこの医薬品Ｘの説明を受ける場合を想定する。また、情報処理装置１０のＣＰＵ１１は、記憶部１４に記憶されている説明文書印刷アプリケーションを実行して待機しているものとする。販売店の店員は、まず自分の店員カードに付されている店員バーコードを読取装置３０で読み取らせる（ステップＳ１１）。読取装置３０は、この店員バーコードが表す店員バーコード情報を読み取り、情報処理装置１０に送信する。情報処理装置１０のＣＰＵ１１は、読取装置３０から送信されてきた店員バーコード情報を通信部１３を介して受信し、受信した店員バーコード情報が、記憶部１４に記憶されている店員データ４１に登録されているか否かを判定する。例えば、受信した店員バーコード情報が店員データ４１に含まれている場合、ＣＰＵ１１は、この店員バーコード情報が登録されていると判定し、ユーザ認証に成功したことを示すメッセージを表示部１６に表示させる。一方、受信した店員バーコード情報が店員データ４１に含まれていない場合、ＣＰＵ１１は、この店員バーコード情報が登録されていないと判定し、ユーザ認証に失敗したことを示すメッセージを表示部１６に表示させて、この処理を終了する。
【００２９】
ユーザ認証に成功したことを示すメッセージが表示部１６に表示されると、店員は、医薬品Ｘの外箱に付されている商品バーコードを読取装置３０で読み取らせる（ステップＳ１２）。読取装置３０は、この商品バーコードが表す商品バーコード情報「１１１１１１１ｘ」を読み取り、情報処理装置１０に送信する。情報処理装置１０のＣＰＵ１１は、読取装置３０から送信されてきた商品バーコード情報を通信部１３を介して受信し、メモリー１２に記憶させる。つまり、ＣＰＵ１１は、読取装置３０により読み取られた情報を取得する取得手段として機能する。また、ＣＰＵ１１は、記憶部１４に記憶されている医薬品データベース４２において、この商品バーコード情報に対応付けられた商品名を特定し、この商品名の医薬品が選択されたことを示す情報を表示部１６に表示させる。この例では、図５に示した医薬品データベース４２において、商品バーコード情報「１１１１１１１ｘ」に対応付けられた「医薬品Ｘ」という商品名が特定され、「医薬品Ｘ」が選択されたことを示す情報が表示部１６に表示される。
【００３０】
続いて、店員は、操作シートＰ１に付されている操作バーコードを読取装置３０で読み取らせて、印刷部数を指定する（ステップＳ１３）。例えば、医薬品Ｘの説明文書を２部印刷したい場合、店員は、図７に示した操作シートＰ１の操作バーコードＢ２を読取装置３０で１回読み取らせる。読取装置３０は、この操作バーコードＢ２が表す操作バーコード情報「Ｂ１１０００１Ｂ」を読み取り、情報処理装置１０に送信する。情報処理装置１０は、読取装置３０から送信されてきた操作バーコード情報を通信部１３を介して受信し、記憶部１４に記憶されている操作対応テーブル４３において、受信した操作バーコード情報に対応付けられた指示の内容を特定する。図６に示すように、操作対応テーブル４３には、操作シートＰ１に付された操作バーコードＢ２（「第３の画像」に相当）が表す操作バーコード情報「Ｂ１１０００１Ｂ」（「第３の情報」に相当）と、画像形成の部数を１部だけ加算する指示である「印刷部数＋１」とが対応付けられている。そのため、この例では、この操作対応テーブル４３において、操作バーコード情報「Ｂ１１０００１Ｂ」に対応付けられた「印刷部数＋１」が特定される。この場合、ＣＰＵ１１は、予め記憶部１４に記憶されている初期設定の印刷部数の値である「１」に１を加算する。これにより、記憶部１４に記憶されている印刷部数の値が「２」になり、印刷部数が２部に指定される。つまり、ＣＰＵ１１は、記憶部１４において画像形成の部数を加算する指示と対応付けて記憶されている操作バーコード情報が取得されると、記憶部１４に記憶されている印刷部数を加算し、加算した部数を印刷部数として指定する。また、ＣＰＵ１１は、記憶部１４に記憶されている印刷部数の値に基づいて、指定された印刷部数を示す情報を表示部１６に表示させる。この例では、印刷部数が２部に指定されたことを示す情報が表示部１６に表示される。
【００３１】
なお、記憶部１４に記憶されている印刷部数の値は、上述した操作バーコードＢ２が読み取られる度に、１が加算される。また、図７に示した操作シートＰ１の操作バーコードＢ３が読み取られた場合には、記憶部１４に記憶されている印刷部数の値に１０が加算される。このようにして、店員は、図７に示した操作シートＰ１の操作バーコードＢ２又は操作バーコードＢ３を読取装置３０で読み取らせることにより、所望の印刷部数を指定することができる。また、店員は、図７に示した操作シートＰ１の操作バーコードＢ４を読取装置３０で読み取らせることにより、指定した印刷部数をクリアすることができる。この場合、読取装置３０は、この操作バーコードＢ４が表すバーコード情報「Ｂ１１００００Ｂ」を読み取り、情報処理装置１０に送信する。情報処理装置１０は、読取装置３０から送信されてきた操作バーコード情報を通信部１３を介して受信し、記憶部１４に記憶されている操作対応テーブル４３において、受信した操作バーコード情報に対応付けられた指示の内容を特定する。図６に示すように、操作対応テーブル４３には、操作シートＰ１に付された操作バーコードＢ４（「第４の画像」に相当）が表す操作バーコード情報「Ｂ１１００００Ｂ」（「第４の情報」に相当）と、印刷部数をクリアする指示である「印刷部数クリア」とが対応付けられている。そのため、この例では、この操作対応テーブル４３において、操作バーコード情報「Ｂ１１００００Ｂ」に対応付けられた「印刷部数クリア」が特定される。この場合、ＣＰＵ１１は、記憶部１４に記憶されている印刷部数の値を初期設定の値である「１」に戻す。つまり、ＣＰＵ１１は、記憶部１４において印刷部数を予め設定された部数に戻す指示と対応付けて記憶されている操作バーコード情報が取得されると、記憶部１４に記憶されている印刷部数を予め設定された部数に変更する。
【００３２】
また、店員は、図７に示した操作シートＰ１の操作バーコードＢ５を読取装置３０で読み取らせることにより、入力した内容を全てキャンセルすることができる。この場合、読取装置３０は、この操作バーコードＢ５が表すバーコード情報「Ｂ０１００１９Ｂ」を読み取り、情報処理装置１０に送信する。情報処理装置１０は、読取装置３０から送信されてきた操作バーコード情報を通信部１３を介して受信し、記憶部１４に記憶されている操作対応テーブル４３において、受信した操作バーコード情報に対応付けられた指示の内容を特定する。この例では、図６に示した操作対応テーブル４３において、操作バーコード情報「Ｂ０１００１９Ｂ」に対応付けられた「全キャンセル」という指示が特定される。この場合、ＣＰＵ１１は、メモリー１２に記憶されている商品バーコード情報を削除するとともに、記憶部１４に記憶されている印刷部数の値を初期設定の値である「１」に戻す。
【００３３】
続いて、店員は、操作シートＰ１に付されている操作バーコードを読取装置３０で読み取らせて、印刷指示を行う（ステップＳ１４）。この例では、店員は、図７に示した操作シートＰ１の操作バーコードＢ１を読取装置３０で読み取らせる。読取装置３０は、この操作バーコードＢ１が表す操作バーコード情報「Ｂ０１００１０Ｂ」を読み取り、情報処理装置１０に送信する。情報処理装置１０は、読取装置３０から送信されてきた操作バーコード情報を通信部１３を介して受信し、記憶部１４に記憶されている操作対応テーブル４３において、受信した操作バーコード情報に対応付けられた指示の内容を特定する。図６に示すように、操作対応テーブル４３には、操作シートＰ１に付された操作バーコードＢ１（「第１の画像」に相当）が表す操作バーコード情報「Ｂ０１００１０Ｂ」（「第１の情報」に相当）と、画像形成の指示である「印刷開始」とが対応付けられている。そのため、この例では、操作対応テーブル４３において、操作バーコード情報「Ｂ０１００１０Ｂ」に対応付けられた「印刷開始」という指示が特定される。
【００３４】
続いて、ＣＰＵ１１は、メモリー１２に記憶されている商品バーコード情報を特定し、記憶部１４に記憶されている医薬品データベース４２から、特定した商品バーコード情報に対応付けられた「リスク区分」、「製品情報」及び「説明情報」を抽出する（ステップＳ１５）。この例では、図５に示した医薬品データベース４２において、商品バーコード情報「１１１１１１１ｘ」に対応付けられた「リスク区分」、「製品情報」及び「説明情報」が抽出される。続いて、ＣＰＵ１１は、抽出した「リスク区分」、「製品情報」及び「説明情報」に基づいて、説明文書の画像Ｉａを作成する（ステップＳ１６）。このとき、ＣＰＵ１１は、予め設定された印刷パターンに従って、説明文書の画像Ｉａを作成する。この印刷パターンには、例えば文字サイズ、文書のレイアウト、画像の有無を指定する情報などが登録されている。例えば、印刷パターンにＡ４の用紙サイズに合わせた文書のレイアウトが登録されている場合、ＣＰＵ１１は、図１１に示すように、「リスク区分」の情報と、「製品情報」に含まれる「商品名」、「販売者」（図示略）などの情報と、「説明情報」に含まれる「効能・効果」、「成分・分量」、「用法・容量」、「使用上の注意」などの情報をＡ４の用紙サイズに合わせたレイアウトで配置した説明文書の画像Ｉａを作成する。
【００３５】
続いて、ＣＰＵ１１は、作成した説明文書の画像Ｉａを示す画像データと、記憶部１４に記憶されている印刷部数の値とを含む印刷要求を作成し、作成した印刷要求を通信部１３から画像形成装置２０に送信する（ステップＳ１７）。つまり、ＣＰＵ１１は、取得された商品バーコード情報と対応付けて記憶部１４に記憶されている説明情報と、指定された画像形成の条件と、取得された操作バーコード情報と対応付けて記憶部１４に記憶されている画像形成の指示とを出力する出力手段として機能する。なお、上述したステップＳ１３の印刷部数の指定が行われずに、ステップＳ１４の印刷指示が行われた場合には、印刷要求に含まれる印刷部数の値が初期設定値の「１」になる。画像形成装置２０のＣＰＵ２１は、情報処理装置１０から送信されてきた印刷要求を通信部２３を介して受信する（ステップＳ１８）。続いて、ＣＰＵ２１は、画像形成部２６により、受信した印刷要求に応じた印刷を行う（ステップＳ１９）。具体的には、ＣＰＵ２１は、この印刷要求に含まれる画像データを画像形成部２６に供給して、２部印刷するよう指示する。画像形成部２６は、ＣＰＵ２１から供給された画像データに応じた説明文書の画像Ｉａを２部印刷する。つまり、画像形成装置２０は、情報処理装置１０から出力された説明情報、画像形成の条件及び画像形成の指示を受け取り、受け取った画像形成の条件に従って説明情報を表す画像を形成する。この例では、図１１に示す説明文書の画像Ｉａが２部印刷される。店員は、この説明文書の画像Ｉａが印刷された用紙を来店客に渡して、来店客が選択した医薬品Ｘの説明を行う。来店客は、店員から医薬品Ｘの説明を受けた後、例えばこの医薬品Ｘを購入する。これにより、来店客は、医薬品Ｘを適切に服用することができる。
【００３６】
また、情報処理装置１０のＣＰＵ１１は、画像形成装置２０によって印刷が行われると、その印刷の履歴を表す履歴情報を記憶部１４に記憶させる。この印刷履歴には、例えば印刷日時、印刷実施者、印刷内容などの情報が含まれる。この印刷実施者の情報には、例えば記憶部１４に記憶されている店員データ４１において、上述したステップＳ１１にて読み取られた店員バーコード情報に対応付けられた「店員氏名」が用いられる。
【００３７】
次に、上述した説明文書の印刷以外の処理を指示する操作について説明する。この操作には、図８に示す操作シートＰ２が用いられる。また、上述した操作対応テーブル４３には、操作シートＰ２に付された操作バーコードＢ１１〜Ｂ１８（「第６の画像」に相当）が表す操作バーコード情報（「第６の情報」に相当）と、情報処理装置１０の処理の指示とが対応付けられている。例えば、情報処理装置１０の電源をオフにしたい場合、店員は、操作シートＰ２の操作バーコードＢ１１を読取装置３０で読み取らせる。読取装置３０は、この操作バーコードＢ１１が表す操作バーコード情報「Ｂ０１０５０２Ｂ」を読み取り、情報処理装置１０に送信する。情報処理装置１０は、読取装置３０から送信されてきた操作バーコード情報を通信部１３を介して受信し、記憶部１４に記憶されている操作対応テーブル４３において、受信した操作バーコード情報に対応付けられた指示の内容を特定する。この例では、図６に示した操作対応テーブル４３において、操作バーコード情報「Ｂ０１０５０２Ｂ」に対応付けられた「電源オフ」という指示が特定される。この場合、ＣＰＵ１１は、情報処理装置１０の電源をオフにする処理を行う。つまり、ＣＰＵ１１は、記憶部１４において情報処理装置１０の処理の指示と対応付けて記憶されている操作バーコード情報を取得すると、その操作バーコード情報と対応付けて記憶されている指示の処理を行う処理手段として機能する。
【００３８】
また、例えば、説明文書の文字サイズを大きくしたい場合、店員は、操作シートＰ２の操作バーコードＢ２１を読取装置３０で読み取らせる。この場合、読取装置３０は、この操作バーコードＢ２１が表すバーコード情報「Ｂ１２０００３Ｂ」を読み取り、情報処理装置１０に送信する。情報処理装置１０は、読取装置３０から送信されてきた操作バーコード情報を通信部１３を介して受信し、記憶部１４に記憶されている操作対応テーブル４３において、受信した操作バーコード情報に対応付けられた指示の内容を特定する。この例では、図６に示した操作対応テーブル４３において、操作バーコード情報「Ｂ１２０００３Ｂ」に対応付けられた「印刷パターン３」が特定される。この場合、ＣＰＵ１１は、この「印刷パターン３」を設定する。この後、印刷指示が行われると、ＣＰＵ１１は、設定された「印刷パターン３」に従って、説明文書の画像Ｉａを作成する。この例では、図９に示すように、「印刷パターン３」に標準よりも大きい文字サイズが登録されているため、ＣＰＵ１１は、説明文書の画像Ｉａに含まれる文字を標準よりも大きな文字サイズにする。これにより、文字サイズの大きい説明文書の画像が印刷される。
【００３９】
以上説明した実施形態によれば、店員は、情報処理装置１０の操作部１５を操作しなくても、操作バーコードを読取装置３０で読み取らせるだけで、印刷条件の指定や印刷指示を行うことができる。そのため、例えば店員が情報処理装置１０の操作に不慣れであっても、簡単に医薬品の説明文書を印刷することができる。
【００４０】
［変形例］
以上が実施形態の説明であるが、この実施形態の内容は以下のように変形し得る。また、以下の各変形例を適宜組み合わせてもよい。
（変形例１）
上述した読取装置３０によりバーコード情報が読み取られた時に、そのバーコード情報の読み取りに応じて行われる処理の内容又は結果を表す音声で出力してもよい。この場合、情報処理装置１０には、例えばＤ／Ａ変換部とスピーカーとを有する音声出力部が設けられる。この音声出力部は、音声データに応じた音声を出力する音声出力手段として機能する。例えば、上述したように、読取装置３０により図７に示した操作シートＰ１の操作バーコードＢ２を表す操作バーコード情報が読み取られて、記憶部１４に記憶されている印刷部数の値が「２」になると、ＣＰＵ１１は、例えば「印刷部数は２部です」という音声を表す音声データを作成し、音声出力部からに供給する。この場合、音声出力部は、ＣＰＵ１１から供給された音声データに基づいて、「印刷部数は２部です」という音声を出力する。これにより、店員は、表示部１６を見なくても、自分が指定した印刷部数を把握することができる。
【００４１】
また、上述した読取装置３０により店員バーコード情報が読み取られたときに、予め決められた時間間隔（例えば、数十秒間隔）で「ピッ」という定期通知音を出力してもよい。この場合、ＣＰＵ１１は、読取装置３０から上述した店員バーコード情報が送信されてくると、予め決められた時間間隔でこの定期通知音を表す音声データを音声出力部に供給する。音声出力部は、ＣＰＵ１１から音声データが供給される度に、その音声データに応じた定期通知音を出力する。この場合、店員は、この定期通知音の出力により情報処置装置１０が正常に動作していることが確認できるため、例えば表示部１６を閉じた状態で情報処理装置１０を利用することができる。また、ＣＰＵ１１は、定期通知音の出力が開始されてから、予め指定された時間を経ると、定期通知音を表す音声データの供給を中止する。定期通知音の出力が中止された場合、ＣＰＵ１１は、一旦上述した処理を終了する。この場合、店員は、再び自分の店員カードに付されている店員バーコードを読取装置３０で読み取らせることにより、上述した処理を再開することができる。
【００４２】
（変形例２）
上述した画像形成装置２０は、複数設けられていてもよい。ここでは、画像形成システム１に、Ａ４の用紙サイズに印刷する画像形成装置２０ａと、レシート紙に印刷する画像形成装置２０ｂとが設けられている場合を想定する。この場合、店員は、操作部１５を操作することにより、図９に示した印刷パターンの内容Ｅ１を書き換えて、画像形成装置２０のいずれかを示す装置情報（例えば、装置名や通信アドレス）と、その画像形成装置２０の用紙サイズに応じた文書のレイアウトとを登録する。例えば、店員は、図１２に示すように、画像形成装置２０ａを示す装置情報である「画像形成装置ａ」と、Ａ４の用紙サイズに応じた文書のレイアウトである「Ａ４のレイアウト」とを印刷パターン１に登録し、画像形成装置２０ｂを示す装置情報である「画像形成装置ｂ」と、レシート紙の用紙サイズに応じた文書のレイアウトである「レシート紙のレイアウト」とを印刷パターン２に登録する。この場合、画像形成装置２０の装置情報と、文書のレイアウトとは、印刷パターンを主キーとして、図６に示した操作対応テーブル４３における操作バーコードＢ１９〜Ｂ２２（「第５の画像」に相当）が表す操作バーコード情報（「第５の情報」に相当）と対応付けられる。つまり、記憶部１４において、操作シートＰ２に付された操作バーコードＢ１９〜Ｂ２２が表す操作バーコード情報と、文書のレイアウトと、画像形成装置２０を示す装置情報とが対応付けて記憶されることになる。
【００４３】
そして、例えば画像形成装置２０ｂを使用して、説明文書の画像をレシート紙に印刷したい場合、店員は、まず図１０に示した操作シートＰ２の操作バーコードＢ２０を読取装置３０で読み取らせる。この場合、読取装置３０は、上述と同様に、この操作バーコードＢ２０が表す操作バーコード情報「Ｂ１２０００２Ｂ」を読み取り、情報処理装置１０に送信する。情報処理装置１０のＣＰＵ１１は、上述と同様に、記憶部１４に記憶されている操作対応テーブル４３において、読取装置３０から送信されてきた操作バーコード情報「Ｂ１２０００２Ｂ」に対応付けられた「印刷パターン２」を特定し、この「印刷パターン２」を設定する。図１２に示すように、この「印刷パターン２」には、画像形成装置２０ｂを示す装置情報である「画像形成装置ｂ」と、レシート紙の用紙サイズに応じた文書のレイアウトである「レシート紙のレイアウト」とが登録されている。つまり、ＣＰＵ１１は、記憶部１４において文書のレイアウト及び装置情報と対応付けて記憶されている操作バーコード情報を取得すると、その操作バーコード情報と対応付けて記憶されている文書のレイアウトを指定するとともに、その操作バーコード情報と対応付けて記憶されている装置情報が示す画像形成装置２０を指定する。
【００４４】
続いて、店員は、上述と同様に、図７に示した操作シートＰ１を用いて印刷指示を行う。このとき、ＣＰＵ１１は、設定された「印刷パターン２」に登録された文書のレイアウトに従って、説明文書の画像Ｉａを作成する。この例では、ＣＰＵ１１は、図１３に示すように、「リスク区分」の情報と、「製品情報」に含まれる「商品名」、「販売者」（図示略）などの情報と、「説明情報」に含まれる「効能・効果」、「成分・分量」、「用法・容量」、「使用上の注意」などの情報をレシート紙の用紙サイズに合わせたレイアウトで配置した説明文書の画像Ｉｂを作成する。続いて、ＣＰＵ１１は、設定された「印刷パターン２」に登録された画像形成装置１０ｂに対して、作成した説明文書の画像Ｉｂを示す画像データを含む印刷要求を通信部１３から送信する。つまり、ＣＰＵ１１は、取得した商品バーコード情報と対応付けて記憶部１４に記憶されている説明情報を、上述にて指定されたレイアウトに基づいて整形して出力する。ここでいう「整形」とは、文字や画像を配置したり、文字の色や大きさを変えたりすることをいう。この場合、画像形成装置２０ｂは、レシート紙の大きさに合わせてレイアウトされた説明文書の画像Ｉｂをレシート紙に印刷する。
【００４５】
このように、店員は、操作部１５を操作して、印刷パターンの内容を書き換えることにより、所望の印刷パターンで印刷を行わせることができる。なお、印刷パターンの登録内容は、図１１，１２に示す例に限らない。例えば、印刷パターンに、「両面印刷」、「用紙サイズ」、「白黒又はカラー」などの印刷条件が登録されていてもよい。
【００４６】
（変形例３）
上述した実施形態では、商品バーコードは医薬品の外箱に付されていたが、商品バーコードが付される対象はこれに限らない。例えば、複数の商品バーコードが一覧シートにまとめて付されていてもよい。この場合、店員は、この一覧シートを用いて、来店客が選択した医薬品に対応する商品バーコードを読取装置３０で読み取らせる。
【００４７】
（変形例４）
上述した操作シートＰ１に、商品の選択をクリアするときに用いられる操作バーコードが付されていてもよい。この操作バーコードとしては、例えば選択された全ての商品のクリアするための操作バーコード、最後に選択された商品をクリアするための操作バーコード、個別の商品をクリアするための操作バーコードなどが考えられる。例えば、読取装置３０により、選択された全ての商品をクリアするための操作バーコードを表す操作バーコード情報が読み取られた場合、情報処理装置１０のＣＰＵ１１は、メモリー１２に記憶されている商品バーコード情報を全て削除する。また、読取装置３０により、最後に選択された商品をクリアするための操作バーコードを表す操作バーコード情報が読み取られた場合、ＣＰＵ１１は、メモリー１２に記憶されている商品バーコード情報のうち、最後に記憶された商品バーコード情報を削除する。また、読取装置３０により、個別の商品をクリアするための操作バーコードを表す操作バーコード情報が読み取られた場合、ＣＰＵ１１は、メモリー１２に記憶されている商品バーコード情報を特定し、記憶部１４に記憶されている医薬品データベース４２において特定した商品バーコード情報と対応付けられた「商品名」を表示部１６に表示させる。この場合、店員は、操作部１５を操作することにより、表示部１６に表示された「商品名」の中から選択をクリアするものを指定する。そして、ＣＰＵ１１は、操作部１５の操作によって指定された「商品名」に対応する商品バーコード情報をメモリー１２から削除する。
【００４８】
（変形例５）
上述した画像形成システム１は、商品の販売情報を管理するＰＯＳ（Point of sale system）システムと連携することができる。例えば、ＰＯＳシステムと連携して、医薬品の説明が完了したことが確認できない来店客には、その医薬品を販売しないようにしてもよい。この場合、情報処理装置１０のＣＰＵ１１は、上述した説明文書の画像を作成するときに、その画像中に説明済みバーコードを付す。そして、店員は、医薬品の説明が完了すると、この説明済みバーコードを読取装置３０で読み取らせる。これにより、ＣＰＵ１１は、説明済みバーコードが表す情報が読み取られたか否かによって、医薬品の説明が完了したか否かを判定することができる。例えば、医薬品の説明が完了していないにも関わらず、その医薬品を販売する処理が行われた場合には、ＣＰＵ１１は、医薬品の説明が完了していないことを示す警告メッセージを表示部１６に表示させる。また、この場合に、その医薬品の販売の中止を指示する情報をＰＯＳシステムに送信してもよい。
【００４９】
（変形例６）
上述した画像形成システム１は、顧客の購入履歴を記憶する購入履歴データベースと連携することができる。例えば、購入履歴データベースに基づいて、来店客が選択した医薬品を購入するのが初めてか否かを判定し、以前購入したことがある場合には、その医薬品の説明が不要であることを示すメッセージを表示部１６に表示させてもよい。
【００５０】
（変形例７）
上述した実施形態では、店員データ４１に情報が登録されている店員であれば、誰でも印刷指示を行うことができたが、店員が有している資格に応じて印刷指示を制限してもよい。例えば、「薬剤師」の資格を有していない店員については、「第１類」の医薬品の説明文書の印刷指示が行えないようにし、「薬剤師」と「登録販売者」のいずれの資格も有していない店員については、「第１類」及び「第２類」の医薬品の説明文書の印刷指示を行えないようにしてもよい。この場合、ＣＰＵ１１は、読取装置３０により店員バーコード情報が読み取られると、記憶部１４に記憶されている店員データ４１において、その店員バーコード情報に対応付けられた「資格」を特定する。さらに、ＣＰＵ１１は、読取装置３０により商品バーコード情報が読み取られると、記憶部１４に記憶されている医薬品データベース４２において、この商品バーコード情報に対応付けられた「リスク分類」を特定する。そして、ＣＰＵ１１は、特定した資格が「薬剤師」ではない場合には、「リスク分類」が「第１類」の医薬品の説明文書の画像については、印刷指示が行われても印刷要求を行わない。また、ＣＰＵ１１は、「薬剤師」及び「登録販売者」のいずれの資格も特定されなかった場合には、「リスク分類」が「第１類」又は「第２類」の医薬品の説明文書の画像については、印刷指示が行われても印刷要求を行わない。
【００５１】
（変形例８）
上述した実施形態では、バーコードを用いて操作を行う例を挙げて説明したが、バーコードに代えてＱＲコード（登録商標）などの２次元コードが用いられてもよい。この場合、２次元コードは、例えば上述した商品バーコード情報に代えて、商品名を表してもよい。また、２次元コードは、上述した操作バーコード情報に代えて、指示の内容を表してもよい。また、上述したバーコードに代えて、商品名や指示の内容を文字で表す文字画像が用いられてもよい。この場合、読取装置３０は、この文字画像が表す文字を例えばＯＣＲ（Optical Character Reader）で読み取り、商品名や指示の内容を認識する。
【００５２】
（変形例９）
上述した画像形成装置２０のＣＰＵ２１にて行なわれる処理は、ＣＰＵ２１と他のハードウェアとの協働によって行われてもよいし、ＣＰＵ２１に代えて１又は複数のハードウェアが行ってもよい。また、情報処理装置１０のＣＰＵ１１、画像形成装置２０のＣＰＵ２１によって行われる処理は、単一のプログラムによって実現されてもよいし、複数のプログラムによって実現されてもよい。また、情報処理装置１０のＣＰＵ１１、画像形成装置２０のＣＰＵ２１によって実行される各プログラムは、磁気テープや磁気ディスクなどの磁気記録媒体、光ディスクなどの光記録媒体、光磁気記録媒体、半導体メモリーなどの、コンピューター装置が読み取り可能な記録媒体に記憶された状態で提供し得る。また、このプログラムを、インターネットなどの通信回線経由でダウンロードさせることも可能である。
【符号の説明】
【００５３】
１…画像形成システム、１０…情報処理装置、１１…ＣＰＵ、１２…メモリー、１３…通信部、１４…記憶部、１５…操作部、１６…表示部、２０…画像形成装置、２１…ＣＰＵ、２２…メモリー、２３…通信部、２４…記憶部、２５…表示操作部、２６…画像形成部、３０…読取装置。
【図１】
2010277189.tif 000003
【図２】
2010277189.tif 000004
【図３】
2010277189.tif 000005
【図４】
2010277189.tif 000006
【図５】
2010277189.tif 000007
【図６】
2010277189.tif 000008
【図７】
2010277189.tif 000009
【図８】
2010277189.tif 000010
【図９】
2010277189.tif 000011
【図１０】
2010277189.tif 000012
【図１１】
2010277189.tif 000013
【図１２】
2010277189.tif 000014
【図１３】
2010277189.tif 000015